(57)【要約】【課題】部品点数の削減を図ると共に、適度なクリックフィーリングを得、また潤滑油も不要とする。【解決手段】スイッチ本体１１には、操作子１２が矢印Ａ方向及びその反対方向に移動可能に設けられている。操作子１２と、この操作子１２の矢印Ａ方向で該操作子１２と対向するスイッチ本体１１部分との間に、ほぼ直線状をなし両端部に座屈力作用点を直線状部からずらす折曲部１５ａ、１５ｂを形成したばね材からなるクリック部材１５を配設している。【選択図】  図１
2004158423.tif 000002
【特許請求の範囲】
【請求項１】
スイッチ本体に移動可能に設けられた操作子の押し込み操作時にクリック感を与えるようにしたスイッチ用操作装置において、
前記操作子と、この操作子の移動方向で該操作子と対向するスイッチ本体部分との間に、ほぼ直線状をなし両端部に座屈力作用点を直線状部からずらす折曲部を形成したばね材からなるクリック部材を配設したことを特徴とするスイッチ用操作装置。
【請求項２】
折曲部はほぼ円弧状をなし、操作子及び該操作子と対向するスイッチ本体部分には該折曲部を位置決めする円弧状の凹部が形成されていることを特徴とする請求項１記載のスイッチ用操作装置。
【請求項３】
クリック部材には、スイッチ本体が備えた固定接点に対応する可動接点が一体に形成されていることを特徴とする請求項１記載のスイッチ用操作装置。
【請求項４】
クリック部材における操作子側の折曲部はＣ状をなし、操作子にはこの折曲部と嵌合して位置決めする嵌合部が形成され、可動接点はこの折曲部から延出されていることを特徴とする請求項３記載のスイッチ用操作装置。
【発明の詳細な説明】
【０００１】
【発明の属する技術分野】
本発明は、スイッチ本体に移動可能に設けられた操作子の押し込み操作時にクリック感を与えるようにしたスイッチ用操作装置に関する。
【０００２】
【発明が解決しようとする課題】
図７及び図８には従来におけるスイッチの一例を示している。スイッチ本体１には操作子２が矢印Ａ方向及びその反対方向（矢印Ｂ方向）へ移動可能に設けられており、この操作子２の矢印Ａ方向への押し込み操作によって可動接点３が一対の固定接点４（一方のみ図示）間をオンし、押し込み操作力を解除するとばね５によって元の位置に戻されると共に一対の固定接点４間がオフする。
【０００３】
そしてこのものにおいては、操作子２を押し込み操作したときにクリック感を与えるために、樹脂製のほぼＵ字状のクリックプレート６を設けている。このクリッププレート６の一端部６ａが操作子２に固定され、他端部６ｂには凸部６ｃが形成されている。そして、スイッチ本体１において上記凸部６ｃと対応する部分には乗り上げ用の斜面１ｃが形成されている。
【０００４】
操作子２が矢印Ａ方向に押し込まれると、凸部６ｃが斜面１ｃに完全に乗り上げるまでに力を要し、その後一気に軽い操作力で済む。つまり、クリック感が与えられる。
【０００５】
しかしながら、上記従来においては、クリックプレート６の取り付けが面倒であると共に、クリッププレート６の凸部６ｃ、斜面１ａ、及び戻り圧付与用のばね５が必要で構成部品数が多いといった欠点があった。また、樹脂製のクリッププレート６であるため、クリックフィーリングに限界があった。さら、クリッププレート６自体が摺動するため、潤滑剤なども必要であった。
【０００６】
本発明は上記事情に鑑みてなされたものであり、その目的は、部品点数の削減を図り得ると共に、適度なクリックフィーリングを得ることができ、また潤滑油も不要となるスイッチ用操作装置を提供するにある。
【０００７】
【課題を解決するための手段】
請求項１の発明は、スイッチ本体に移動可能に設けられた操作子の押し込み操作時にクリック感を与えるようにしたスイッチ用操作装置において、
前記操作子と、この操作子の移動方向で該操作子と対向するスイッチ本体部分との間に、ほぼ直線状をなし両端部に座屈力を直線状部からずらす折曲部を形成したばね材からなるクリック部材を配設したところに特徴を有する。
【０００８】
ばね材製の直線状のクリック部材を、操作子と、この操作子の移動方向で該操作子と対向するスイッチ本体部分との間に設ける構成とすることで、操作子を押し込み操作したときに該クリック部材に座屈力が作用する。この場合、クリック部材が単に直線状であると、クリック部材の座屈形態が不安定あると共に座屈させるのにかなりの操作力が必要となる。この点、座屈力作用点を直線状部からずらす折曲部が、クリック部材の両端に存在するから、座屈形態が安定すると共に座屈させるのに適度な操作力で済む。そして、クリック部材がばね材製であるので、例えば長さ変更により座屈荷重の変更が図られ、クリックフィーリングの設定も容易となる。さらには部品数も少ない。またクリック部材が摺動することがないので、クリック部材部分に潤滑剤も不要である。
【０００９】
請求項２の発明は、折曲部はほぼ円弧状をなし、操作子及び該操作子と対向するスイッチ本体部分には該折曲部を位置決めする円弧状の凹部が形成されているところに特徴を有する。これによれば、折曲部の成形が容易であると共に応力の集中が起こりにくく使用寿命を長くできる。
【００１０】
請求項３の発明は、クリック部材に、スイッチ本体が備えた固定接点に対応する可動接点が一体に形成されているところに特徴を有する。これによれば、クリック部材の変形を利用して可動接点を動作させることができると共に、可動接点を別途形成せずに済み、部品数の削減に寄与できる。
【００１１】
請求項４の発明は、クリック部材における操作子側の折曲部がＣ状をなし、操作子にこの折曲部を回動可能に嵌合して位置決めする嵌合部が形成され、可動接点がこの折曲部から延出されているところに特徴を有する。これによれば座屈するクリック部材の最大変形量が可動接点の変位量となり、十分なスイッチストロークを得ることができる。しかも、クリック部材の座屈時に、折曲部に若干の回動方向への動きがあり、この動きにより可動接点が固定接点を押圧する方向へ力を受けることが期待でき、十分な接触圧が期待できる。
【００１２】
【発明の実施の形態】
以下、本発明の第１の実施例につき図１ないし図３を参照して説明する。スイッチ本体１１には、操作子１２が矢印Ａ方向及びその反対方向（矢印Ｂ方向）へ移動可能に設けられており、この操作子１２の矢印Ａ方向への押し込み操作によって可動接点１３が一対の固定接点１４（一方のみ図示）間をオンし、押し込み操作力を解除すると後述するクリック部材１５によって元の位置に戻されると共に一対の固定接点１４間がオフするようになっている。
【００１３】
上記クリック部材１５はばね材例えばばね鋼板から形成されており、ほぼ長尺状（直線状）をなしている。そして、その両端部には、円弧状をなす折曲部１５ａ、１５ｂが形成されている。
【００１４】
そして、操作子１２において矢印Ａ方向側の端部（図１では右端部）に円弧状の凹部１２ａが形成されており、この操作子１２と矢印Ａ方向において対向するスイッチ本体１１部分（凹部１２ａと対向する部分）にも円弧状の凹部１１ａが形成されている。
【００１５】
前記クリック部材１５は、その両折曲部１５ａと１５ｂとが、それぞれ上記凹部１２ａと凹部１１ａとに嵌合されて位置決めされた形態で、操作子１２と、この操作子１２の移動方向（矢印Ａ方向）で該操作子１２と対向するスイッチ本体１１部分との間に、設けられている。なお、図１の状態では、操作子１２は、図示しないストッパによって矢印Ｂ方向への移動限度位置に止められている。
【００１６】
この図１の状態から操作子１２が矢印Ａ方向へ押し込み操作されると、クリック部材１５がその操作力を受けて図２に二点鎖線で示すように座屈する。このとき、クリック部材１５での両端での座屈力作用点Ｐａ、Ｐｂが直線状部分１５ｃより距離Ｌ分ずれている。この結果、クリック部材１５は必ず図２の二点鎖線で示したような座屈形態を示す。
【００１７】
このとき、クリック部材１５が座屈するときの荷重、つまり座屈荷重Ｗは
Ｗ＝ｎ・π２・Ｅ・Ｉｚ／ｈ２
で示される。ここで、ｎ＝１（両端回転端）、Ｅ＝ヤング率、Ｉｚ＝断面二次モーメント、ｈ＝長さ、である。
【００１８】
ここで、操作子１２のストロークと操作力Ｆとの関係を図３に示している。この図３から分かるように、操作力Ｆが座屈荷重Ｗを超えるまで操作ストロークは短く、この座屈荷重Ｗを超えると操作力Ｆが急激に小さくて済むようになる。このときにクリック感が与えられる。なお、この矢印Ａ方向への操作子１２の操作により一対の固定接点１４間がオンされ、このオン信号が図示しないリード線を介して出力される。
【００１９】
上述の矢印Ａ方向への操作力を解除すると、クリック部材１５の弾性復元力により操作子１２が矢印Ｂ方向に戻される。このとき操作者は戻り圧を感じるものである。
【００２０】
このような本実施例においては、ばね材製の直線状のクリック部材１５を、操作子１２と、この操作子１２の移動方向で該操作子１２と対向するスイッチ本体１１部分との間に設ける構成とすることで、操作子１２を押し込み操作したときに該クリック部材１５に座屈力が作用する。この場合、クリック部材１５が単に直線状であると、クリック部材１５の座屈形態が不安定あると共に座屈させるのにかなりの操作力が必要となる。この点、本実施例では、座屈力作用点Ｐａ、Ｐｂを直線状部１５ｃからずらす折曲部１５ａ、１５ｂが、クリック部材１５の両端に存在するから、座屈形態が安定すると共に座屈させるのに適度な操作力で済む。そして、クリック部材１５がばね材製であるので、例えば長さ変更により座屈荷重の変更が図られ、クリックフィーリングの設定も容易となる。さらには部品数も少ない。またクリック部材１５が摺動することがないので、クリック部材１５部分に潤滑剤も不要である。
【００２１】
さらに本実施例によれば、折曲部１５ａ、１５ｂをほぼ円弧状に形成し、操作子１２及び該操作子１２と対向するスイッチ本体１１部分に各折曲部１５ａ、１５ｂを位置決めする円弧状の凹部１２ａ、１１ａを形成したから、折曲部１５ａ、１５ｂの成形が容易であると共に応力の集中が起こりにくく使用寿命を長くできる。
【００２２】
図４ないし図６は本発明の第２の実施例を示している。この実施例においては、次の点が第１の実施例と異なる。スイッチ本体１１における固定接点１６は、図４中の左方まで延びて配設されている。そして、クリック部材１５において操作子１２側の折曲部１７は図５に示すように、円弧状のなかでもＣ字状に形成されており、そして左右に突出している。さらに、このクリック部材１５には、前記固定接点１６に対応する可動接点１８が一体に形成されている。この可動接点１８は前記折曲部１７部分から一方の折曲部１５ｂと反対方向へ延出されている。この可動接点１８は二股状に形成されていて、また前記固定接点１６は一対設けられている。
【００２３】
操作子１２には、逃げ孔１９、１９が形成されており、この逃げ孔１９、１９の前側の部分により、嵌合部２０、２０が形成されている。
【００２４】
前記クリック部材１５の前記折曲部１７、１７が上記嵌合部２０、２０に嵌合されて位置決めされている。なお、他方の折曲部１５ｂは対向するリブ２１、２１により位置決めされている。
【００２５】
しかして、図４の状態から、操作子１２を押し込み操作すると既述したように該クリック部材１５に座屈する。これに同時に、その座屈変形により折曲部１７が同方向（矢印Ａ方向）へ変位する。さらにこのとき、この折曲部１７は矢印Ｃ方向へ若干回動する。この結果、可動接点１８が固定接点１６に押し付けられつつ摺接する。これにて一対の固定接点１６間がオンされる。なお、クリック部材１５の材質については、ばね製を有し導電性あるものであれば良い。
【００２６】
この第２の実施例によれば、クリック部材１５に、スイッチ本体１１が備えた固定接点１６に対応する可動接点１８が一体に形成されているから、クリック部材１５の変形を利用して可動接点１８を動作させることができると共に、可動接点１８を別途形成せずに済み、部品数の削減に寄与できる。
【００２７】
また、クリック部材１５における操作子１２側の折曲部１７がＣ状をなし、操作子１２にこの折曲部１７を回動可能に嵌合して位置決めする嵌合部２０が形成され、可動接点１８がこの折曲部１７から延出されているから、座屈するクリック部材１５の最大変形量が可動接点１８の変位量となり、十分なスイッチストロークを得ることができる。しかも、クリック部材１５の座屈時に、折曲部１７における回動により可動接点１８が固定接点１６を押圧する方向へ力を受けることが期待でき、十分な接触圧が期待できる。
なお、本発明は、上記実施例に限られるものではなく、例えば可動接点１３及び固定接点１４によるスイッチ構成、可動接点１８及び固定接点１６によるスイッチ構成は別のスイッチ構成でも良い。
【００２８】
【発明の効果】
本発明は以上の説明から明らかなように、部品点数の削減を図り得ると共に、適度なクリックフィーリングを得ることができ、また潤滑油も不要となるという優れた効果を得ることができる。
【図面の簡単な説明】
【図１】本発明の第１の実施例を示す装置全体の縦断側面図
【図２】クリック部材の座屈の様子を説明するための図
【図３】操作ストロークと操作力との関係を示す図
【図４】本発明の第２の実施例を示す装置全体の縦断側面図
【図５】クリック部材及び操作子部分の斜視図
【図６】動作説明のための装置全体の縦断側面図
【図７】従来例を示す装置全体の縦断側面図
【図８】クリックプレート部分での縦断側面図
【符号の説明】
１１はスイッチ本体、１１ａは凹部、１２は操作子、１２ａは凹部、１５はクリック部材、１５ａ、１５ｂは折曲部、１５ｃは直線状部、１６は固定接点、１７は折曲部、１８は可動接点、２０は嵌合部を示す。
【図１】
2004158423.tif 000003
【図２】
2004158423.tif 000004
【図３】
2004158423.tif 000005
【図４】
2004158423.tif 000006
【図５】
2004158423.tif 000007
【図６】
2004158423.tif 000008
【図７】
2004158423.tif 000009
【図８】
2004158423.tif 000010